(57)【特許請求の範囲】
【請求項１】
左右一対の支柱と両支柱間に所定間隔おきに横架された複数段の踏み杆とからなる梯子において、
左右各支柱の上端部側に支柱長さ方向にラック歯を形成した所要長さのラックを設け、このラックのラック歯に係脱自在に噛合する噛合歯を有し且つ梯子が使用される構造物側の掛止部に掛止するフックを取り付けたフック付きスライドブラケットを、このブラケットの噛合歯がラックのラック歯に噛合した所要位置で固定手段によって各支柱に固定するようにし、
該固定手段は、支柱側に設けたガイド溝に支柱長手方向にスライド可能に支持されながらスライドブラケットに対して上下方向には一体に移動可能で、ラックと対向する方向には相対移動可能なナット状部材と、スライドブラケットのボルト挿通孔からナット状部材にねじ込まれた固定用のボルトとからなり、ボルトを締め付けることにより、スライドブラケットをラックと対向する側に押し付けて噛合歯をラック歯に噛合させた状態で固定し、ボルトを緩めることにより、スライドブラケットをラックから離れる方向に移動可能にして且つ支柱に沿ってスライド可能としてなることを特徴とする梯子。
【請求項２】
各踏み杆の上面は、傾斜姿勢での梯子使用時に踏み杆の前端部中程から後端部にかけて下り勾配となるように形成されてなることを特徴とする請求項１に記載の梯子。
【発明の詳細な説明】
【技術分野】
【０００１】
本発明は、主に一般家庭でロフト梯子等として使用される梯子に関する。
【背景技術】
【０００２】
従来のロフト梯子としては、例えば下記の特許文献１に記載されたようなものがある。この梯子は、梯子を構成する左右両支柱の夫々上端部側に、ロフト（中二階等）の外面に設けてある掛止バー（掛止部）に掛止するフックを有するブラケットを取付位置変更可能に取り付けることができるように、支柱長さ方向に沿って所定間隔おきにビス孔を複数設けている。これによれば、ロフトの高さに応じてフック付きブラケットの支柱への取付位置を選択して、使用状態の梯子支柱の取付角度を決定することができる。
【特許文献１】実開昭６２−１６００９９号公報
【発明の開示】
【発明が解決しようとする課題】
【０００３】
上記特許文献１に記載のような構造の梯子にあっては、フックの位置を変更するには、フック付きブラケット１個に付き少なくとも２個のビスを緩めて取り外し、変更した位置で再びそのビスを締め付けるようにするため、その位置変更作業に手間がかかり、しかもそのビス孔はあまり接近した位置には設けることができず、ある程度の間隔をとる必要があるため、ブラケットの取付位置を小刻みに調整することができない、といった問題がある。
【０００４】
本発明は、上記の課題に鑑み、フック付きブラケットの取付位置の変更が簡単容易に行なえると共に、その取付位置の微調整も簡単に行なえるようにした梯子を提供することを目的とする。
【課題を解決するための手段】
【０００５】
上記課題を解決するための手段を、後述する実施形態の参照符号を付して説明すると、請求項１に係る発明は、左右一対の支柱１，１と両支柱１，１間に所定間隔おきに横架された複数段の踏み杆２…とからなる梯子において、
左右各支柱１，１の上端部側に支柱長さ方向にラック歯３ａを形成した所要長さのラック３を設け、このラック３のラック歯３ａに係脱自在に噛合する噛合歯４ｏを有し且つ梯子Ｈが使用される構造物側の掛止部１０に掛止するフック５を取り付けたフック５付きスライドブラケット４を、このブラケット４の噛合歯４ｏがラック３のラック歯３ａに噛合した所要位置で固定手段６によって各支柱１に固定するようにし、
該固定手段６は、支柱１側に設けたガイド溝１１に支柱長手方向にスライド可能に支持されながらスライドブラケット４に対して上下方向には一体に移動可能で、ラック３と対向する方向には相対移動可能なナット状部材１２と、スライドブラケット４のボルト挿通孔２４からナット状部材１２にねじ込まれた固定用のボルト１３とからなり、ボルト１３を締め付けることにより、スライドブラケット４をラック３と対向する側に押し付けて噛合歯４ｏをラック歯３ａに噛合させた状態で固定し、ボルト１３を緩めることにより、スライドブラケット４をラック３から離れる方向に移動可能にして且つ支柱１に沿ってスライド可能としてなることを特徴とする。
【０００７】
請求項２は、請求項１に記載の梯子において、各踏み杆２の上面２ａは、傾斜姿勢での梯子使用時に踏み杆２の前端部中程から後端部にかけて下り勾配となるように形成されてなることを特徴とする。
【発明の効果】
【０００８】
上記解決手段による発明の効果を、後述する実施形態の参照符号を付して説明すると、請求項１に係る発明によれば、左右各支柱１，１の上端部側に支柱長さ方向にラック歯３ａを形成したラック３を設け、このラック３のラック歯３ａに係脱自在に噛合する噛合歯４ｏを有し且つ梯子Ｈが使用される構造物側の掛止部１０に掛止するフック５を取り付けたフック５付きスライドブラケット４を、このブラケット４の噛合歯４ｏがラック３のラック歯３ａに噛合した所要位置で固定手段６により各支柱１に固定するようにしたから、フック５の取付位置を設定したり変更調整する時は、固定手段６による固定を解除して、スライドブラケット４を支柱１に沿ってスライドさせ、所望位置で固定手段６で固定することによって、フック５の取付位置を簡単容易に設定し、変更調整することができると共に、ラック歯３ａに対する噛合歯４ｏの噛合関係により小刻みな設定が行なえ、取付位置の微調整を行なうことができる。
【０００９】
又、本発明の固定手段６によれば、フック５の取付位置を設定したり変更調整する時は、固定用ボルト１３を緩めてスライドブラケット４を適宜にスライドさせた後、このボルト１３を締め付けるだけでよいから、取付位置の設定及び変更調整作業を簡単容易にして迅速に行なうことができる。
【００１０】
請求項２に係る発明の梯子によれば、各踏み杆２の上面２ａが傾斜姿勢での梯子使用時に踏み杆２の前端部中程から後端部にかけて下り勾配となるように形成されているから、梯子Ｈを昇る時には、踏み杆２を踏む作業者の足の先端部側が下がって足先部に重心がかかるため上り易く、また梯子Ｈを降りる時には、踏み杆２を踏む足の踵部分が下がるため姿勢が安定して安全に降りることができる。
【発明を実施するための最良の形態】
【００１１】
以下に本発明の好適な一実施形態について図面に基づいて説明すると、図１は本発明に係る梯子をロフトＬに使用した状態を示す斜視図、図２の(a) は収納状態での梯子の側面図、(b) は使用状態での梯子の側面図であり、図３の(a) は梯子の正面図、(b) は(a) のＶ−Ｖ線拡大断面図である。図４の(a) は図３の(a) のＷ−Ｗ線拡大断面図で、収納状態での梯子の踏み杆の断面図であり、(b) は傾斜姿勢での梯子使用時の踏み杆の拡大断面図である。また図５の(a) は梯子の一部拡大側面図、(b) は(a) のＸ−Ｘ線断面図であり、図６の(a) は図５の(a) のＹ−Ｙ線断面図である。
【００１２】
梯子Ｈは、図１〜図３に示すように、左右一対の支柱１，１と、両支柱１，１間に所定間隔おきに横架連結された複数段の踏み杆２，２とにより構成されている。各支柱１は、図３の(b) に示すように側壁部１ａと中空状の前後枠部１ｂ，１ｃとで断面略コ字状に形成されるアルミ押出型材からなるもので、中空状の前後枠部１ｂ，１ｂが外向きに突出するように配置される。各踏み杆２は、図４に示すような中空断面形状のアルミ押出型材からなるもので、各踏み杆２の上面２ａは、図４の(b) に示すような傾斜姿勢での梯子使用時に踏杆２の前端部中程から後端部にかけて下り勾配となるように形成されている。
【００１３】
左右各支柱１の上端部側には支柱長さ方向にラック歯３ａを形成した所要長さのラック３が設けられ、このラック３のラック歯３ａに係脱自在に噛合する噛合歯４ｏを有し且つ梯子Ｈが使用されるロフトＬ（構造物）側の掛止バー１０（掛止部）に掛止するフック５を取り付けたフック５付きスライドブラケット４は、このスライドブラケット４の噛合歯４ｏがラック３のラック歯３ａに噛合した所要位置で固定手段６によって支柱１に固定されるようになっている。掛止バー１０は、ロフトＬの外面に突設された両側一対のアーム１０ａで支持されている。
【００１４】
左右各支柱１の上端部に設けられたラック３等の構造について更に詳しく説明すると、図５の(a) ，(b) に示すように、各支柱１の上端部には支柱１の側壁部１ａ外面側で後枠部１ｃに接近した位置に、両側壁部７ａ，７ａは底壁部７ｂとからなる断面略コ字形のスライドガイド部材７がその開口部を外側に向けた状態でビス又はリベット２１により取付け固定され、この断面略コ字形スライドガイド部材７の側壁部７ａ，７ａには底壁部７ｂに近い側にラック嵌挿溝８，８が形成されていて、両ラック嵌挿溝８，８にラック３の両側端部が嵌挿され、このラック３は、スライドガイド部材７の上下両端部にビス又はリベット２２で取付け固定された断面Ｌ字形のストッパー９，９により保持固定されている。図５の(a) 及び図６の(a) 〜(c) には下部側のストッパー９のみを図示し、上部側のストッパー９については図示を省略している。
【００１５】
尚、各ストッパー９は、取付用の垂直片部９ａと、ラック３の上端位置及び下端位置を制限して保持固定すると共にスライドブラケット４の抜け出しを阻止する水平片部９ｂとからなるもので、その垂直片部９ａがビス又はリベット２２でスライドガイド部材７に取付けられる。
【００１６】
図５の(a) ，(b) に示すように、ロフトＬ（構造物）側の掛止バー１０（掛止部）に掛止するフック５にはその基端部側に取付片５ａが一体に突設され、この取付片５ａに前記スライドブラケット４がビス又はリベット２３で取り付けられている。また断面略コ字形スライドガイド部材７の側壁部７ａ，７ａには開口部に近い側にガイド溝１１，１１が形成されていて、このガイド溝１１，１１には中央部にネジ孔１２ａを有する矩形板片形のナット状部材１２の両端部がスライド可能に支持され、このナット状部材１２は、スライドブラケット４に対しては上下方向には一体に移動可能で、ラック３のラック歯３ａと対向する方向に相対移動可能となるようにスライドブラケット４に取り付けられ、しかしてフック５の取付片５ａとスライドブラケット４のボルト挿通孔２４からナット状部材１２のネジ孔１２ａに固定用ボルト１３がねじ込まれている。
【００１７】
尚、図５の(b) において、２５は支柱１側から踏み杆２のビスホール２６（図４参照）にねじ込んで踏み杆２を支柱１に固定するビスである。
【００１８】
上記スライドブラケット４は、フック５の取付片５ａに当接する支持壁部４ａと、この支持壁部４ａの裏面側の上下両端部に突設された中空凸段部４ｂ，４ｂと、両中空凸段部４ｂ，４ｂの間に形成された凹段部４ｃとからなるもので、上下両中空凸段部４ｂ，４ｂの夫々先端面側に噛合歯４ｏが形成されている。また、このスライドブラケット４の凹段部４ｃ内に前記ナット状部材１２が配置されることによって、このナット状部材１２は、スライドブラケット４に対して上下方向に一体に移動可能で、ラック３と対向する方向に相対移動可能となる。
【００１９】
図６の(a) は、固定用ボルト１３を締め付けることによって、スライドブラケット４をラック３と対向する側に押し付けながらその噛合歯４ａをラック３に噛合させて、このスライドブラケット４をナット状部材１２を介してスライドガイド部材７に固定した状態を示す。この図６の(a) に示す状態から、固定用ボルト１３を緩めてゆくと、図６の(b) に示すようにナット状部材１２がガイド溝１１，１１に支持されたまま、ボルト１３のみが手前側へ引き出されるから、この状態でスライドブラケット４を矢印で示す手前側方向へ引っ張れば、図６の(c) に示すように、スライドブラケット４の噛合歯４ｏがラック３のラック歯３ａから離脱する。
【００２０】
図６の(c) に示すようにスライドブラケット４の噛合歯４ｏがラック３のラック歯３ａから離脱した状態では、スライドブラケット４は、スライドガイド部材７に沿って上下方向に自由に移動可能となって、ガイド溝１１に係合支持されたナット状部材１２と共に、上下方向に自由にスライドできて、フック５の取付位置を所望に調整することができる。従って、フック５の取付位置を所望に設定した後、固定用のボルト１３を締め付けると、スライドブラケット４がラック３と対向する側に押し付けられて、噛合歯４ａがラック３に噛合され、フック５付きスライドブラケット４は支柱１に固定されることになる。
【００２１】
スライドブラケット４を上下方向にスライドさせる際には、スライドガイド部材７の上下両端部にＬ字形のストッパー９が設けられているから、スライドブラケット４を誤ってスライドガイド部材７から抜け出るおそれがない。
【００２２】
上記のように構成される梯子Ｈを使用するときは、その使用に先立って、梯子Ｈを使用するロフトＬに設けられた掛止バー１０の高さと、使用する梯子Ｈの傾斜角度θ（図２の(b) 参照）に応じて、フック５付きスライドブラケット４の取付位置を所望に設定する。この取付位置の設定は、上述した通り、固定用ボルト１３を緩めてスライドブラケット４を適宜にスライドさせた後、このボルト１３を締め付けるだけでよいから、簡単容易に行なえると共に、ラック歯３ａに対する噛合歯４ｏの噛合関係により小刻みな設定が行なえて、取付位置の微調整を簡単に行なうことができる。
【００２３】
図２の(a) 、(b) に示されるように、フック５付きスライドブラケット４は、左右各支柱１上端部側の上下２箇所に取り付けられており、上部側のフック５付きスライドブラケット４は、同図の(a) に示すように梯子使用時に所定の傾斜姿勢（傾斜角度θが例えば７０°）でロフトＬの掛止バー１０にフック５を掛止できるように取り付けたものであり、下部側のフック５付きスライドブラケット４は、同図の(a) に示すように非使用時に鉛直姿勢でフック５をロフトＬの掛止バー１０に掛止できるように取り付けたものである。
【００２４】
上記のようにフック５付きスライドブラケット４を、左右各支柱１の上端部側の上下２箇所に夫々取り付けておけば、フック５付きスライドブラケット４を梯子使用時と非使用時とにいちいちスライドブラケット４の取付位置を変更する必要がない。
【００２５】
また図２の(b) 及び図４の(b) に示すような傾斜姿勢での梯子Ｈの使用時においては、各踏み杆２の上面２ａが、踏み杆２の前端部中程から後端部にかけて下り勾配となるように形成されているから、梯子Ｈを昇る時には、踏み杆２を踏む足の先端部側が下がって足先部に重心がかかるために上り易く、そして梯子Ｈを降りる時には、踏み杆２を踏む足の踵部分が下がるため、姿勢が安定して安全に降りることができる。
【図面の簡単な説明】
【００２６】
【図１】本発明に係る梯子をロフトに使用した状態を示す斜視図である。
【図２】(a) は収納状態での梯子の側面図、使用状態での側面図である。
【図３】(a) は梯子の正面図、(b) は(a) のＶ−Ｖ線拡大断面図である。
【図４】(a) は図３の(a) のＷ−Ｗ線拡大断面図で、収納状態での梯子の踏み杆の拡大断面図、(b) は傾斜姿勢での梯子使用時に踏み杆の拡大断面図である。
【図５】(a) は梯子の一部拡大側面図、(b) は(a) のＸ−Ｘ線断面図である。
【図６】(a) は図５の(a) のＹ−Ｙ線断面図、(b) は固定用ボルトを緩めた状態での(a) と同様な断面図、(c) はフック付きスライドブラケットがスライド可能な状態での(a) と同様な断面図である。
【符号の説明】
【００２７】
１            支柱
２            踏み杆
３            ラック
３ａ          ラック歯
４            フック付きスライドブラケット
４ｏ          噛合歯
５            フック
１２          ナット状部材
１３          固定用ボルト
【図１】
0004617271.tif 000002
【図２】
0004617271.tif 000003
【図３】
0004617271.tif 000004
【図４】
0004617271.tif 000005
【図５】
0004617271.tif 000006
【図６】
0004617271.tif 000007